(57)【要約】【課題】画像データの機密性を担保するためのユーザ操作を簡便にすることを課題とする。【解決手段】発信機５０から発信されたビーコン信号を、携帯電話１０が受信し、その受信したビーコン信号が予め設定された信号である場合に、カメラ２０により撮像された画像の画像データに、制限情報が付与される。制限情報は、画像データへのアクセスを制限するための情報である。これにより、ユーザは、条件設定などのユーザ操作を行うことなく、画像データの機密性を担保することが可能となり、画像データの機密性を担保するためのユーザ操作を簡便にすることが可能となる。【選択図】図１
2017204210.tif 000002
【特許請求の範囲】
【請求項１】
制御部と無線通信部とを備える情報処理装置で実行される制御プログラムであって、
前記制御部に、
画像データを取得する第１取得処理と、
所定の範囲に信号を発信可能な発信装置から、前記無線通信部を介して当該信号を受信する受信処理と、
前記受信処理により受信された信号が予め設定された信号である場合に、前記第１取得処理により取得された画像データに、当該画像データへのアクセスを制限するための情報である制限情報を関連付ける関連付け処理と、
を実行させることを特徴とする制御プログラム。
【請求項２】
前記制限情報は、複数種類、存在し、
前記複数の制限情報の各々を識別するための第１識別情報と、前記発信装置から発信される信号を識別するための第２識別情報との対応関係を示す対応情報において、前記受信処理により受信された信号の第２識別情報と対応する第１識別情報により識別される制限情報を取得する第２取得処理を、
前記制御部に実行させ、
前記関連付け処理は、
前記第１取得処理により取得された画像データに、前記第２取得処理により取得された制限情報を関連付けることを特徴とする請求項１に記載の制御プログラム。
【請求項３】
前記制限情報は、複数種類、存在し、
前記複数の制限情報の各々を識別するための第１識別情報と、ユーザを識別するための第３識別情報との対応関係を示す対応情報において、前記発信装置から信号を受信した情報処理装置のユーザの第３識別情報と対応する第１識別情報により識別される制限情報を取得する第３取得処理を、
前記制御部に実行させ、
前記関連付け処理は、
前記第１取得処理により取得された画像データに、前記第３取得処理により取得された制限情報を関連付けることを特徴とする請求項１又は２に記載の制御プログラム。
【請求項４】
前記発信装置から発信される信号を識別するための第２識別情報とユーザを識別するための第３識別情報との少なくとも一方と、前記第１取得処理により取得された画像データへのアクセスを制限しないことを示す非制限情報との対応関係を示す対応情報において、前記受信処理により受信された信号の第２識別情報と前記発信装置から信号を受信した情報処理装置のユーザの第３識別情報との少なくとも一方と対応する非制限情報を取得する第４取得処理を、
前記制御部に実行させ、
前記関連付け処理は、
前記第４取得処理により非制限情報が取得された場合には、前記第１取得処理により取得された画像データへの制限情報の関連付けを禁止することを特徴とする請求項１乃至３の何れか１項に記載の制御プログラム。
【請求項５】
前記受信処理により複数の発信装置の各々から信号を受信した場合に、当該複数の発信装置の各々から受信した信号に基づいて特定される当該複数の発信装置の各々と信号を受信した情報処理装置との間の距離を示す距離情報を取得する第５取得処理と、
前記第５取得処理により取得された距離情報に基づいて、前記複数の発信装置のうちの、信号を受信した情報処理装置に最も近い発信装置を特定する特定処理と、
を前記制御部に実行させ、
前記関連付け処理は、
前記特定処理により特定された発信装置から発信された信号が予め設定された信号である場合に、前記第１取得処理により取得された画像データに制限情報を関連付けることを特徴とする請求項１乃至４の何れか１項に記載の制御プログラム。
【請求項６】
前記関連付け処理は、
前記第１取得処理により取得された画像データに、当該画像データの出力を制限することを示す制限画像データを付加することにより、前記画像データに前記制限情報を関連付けることを特徴とする請求項１乃至５の何れか１項に記載の制御プログラム。
【請求項７】
前記関連付け処理は、
前記第１取得処理により取得された画像データに、パスワードの入力により当該画像データへのアクセスを許容するための情報を、制限情報として関連付けることを特徴とする請求項１乃至６の何れか１項に記載の制御プログラム。
【請求項８】
前記関連付け処理は、
前記第１取得処理により取得された画像データに、当該画像データに基づく画像の印刷を制限するための情報を、制限情報として関連付けることを特徴とする請求項１乃至７の何れか１項に記載の制御プログラム。
【請求項９】
前記発信装置から発信される信号は、ビーコン信号であることを特徴とする請求項１乃至８の何れか１項に記載の制御プログラム。
【請求項１０】
制御部と無線通信部とを備え、
前記制御部は、
画像データを取得する第１取得手段と、
所定の範囲に信号を発信可能な発信装置から、前記無線通信部を介して当該信号を受信する受信手段と、
前記受信処理により受信された信号が予め設定された信号である場合に、前記第１取得処理により取得された画像データに、当該画像データへのアクセスを制限するための情報である制限情報を関連付ける関連付け手段と、
を有することを特徴とする情報処理装置。
【発明の詳細な説明】
【技術分野】
【０００１】
本発明は、画像データを取得可能な情報処理装置で実行される制御プログラム等に関する。
【背景技術】
【０００２】
カメラで撮像された写真の機密性を担保する技術として、下記特許文献に記載された技術が存在する。詳しくは、ユーザが撮像箇所，撮像時間等の条件を予め設定しておき、その設定された条件下で、カメラによる撮像が実行された場合に、その写真の画像データに、写真の表示などを制限するための制限情報が付加される。これにより、カメラで撮像された写真の機密性が担保される。
【先行技術文献】
【特許文献】
【０００３】
【特許文献１】特開２０１０−０７４６１１号公報
【発明の概要】
【発明が解決しようとする課題】
【０００４】
上記特許文献に記載の技術では、ユーザが予め条件を設定する必要ある。また、カメラ毎に、個別の条件を設定する必要ある。このため、画像データに制限情報を付与するためのユーザ操作が煩雑となる。本願は、上記課題を解決することを目的とする。
【課題を解決するための手段】
【０００５】
上記課題を解決するために、本発明の制御プログラムは、制御部と無線通信部とを備える情報処理装置で実行される制御プログラムであって、前記制御部に、画像データを取得する第１取得処理と、所定の範囲に信号を発信可能な発信装置から、前記無線通信部を介して当該信号を受信する受信処理と、前記受信処理により受信された信号が予め設定された信号である場合に、前記第１取得処理により取得された画像データに、当該画像データへのアクセスを制限するための情報である制限情報を関連付ける関連付け処理と、を実行させることを特徴とする。
【０００６】
また、上記課題を解決するために、本発明の情報処理装置は、制御部と無線通信部とを備え、前記制御部は、画像データを取得する第１取得手段と、所定の範囲に信号を発信可能な発信装置から、前記無線通信部を介して当該信号を受信する受信手段と、前記受信処理により受信された信号が予め設定された信号である場合に、前記第１取得処理により取得された画像データに、当該画像データへのアクセスを制限するための情報である制限情報を関連付ける関連付け手段と、を有することを特徴とする。
【発明の効果】
【０００７】
本明細書の実施形態として記載の制御プログラム、および、情報処理装置では、所定の範囲に信号を発信可能な発信装置から、情報処理装置が信号を受信し、その信号が予め設定された信号である場合に、画像データに制限情報が関連付けられる。これにより、ユーザは、条件設定などのユーザ操作を行うことなく、画像データに制限情報を付与することが可能となる。
【図面の簡単な説明】
【０００８】
【図１】通信システム１のブロック図である。
【図２】ユーザＩＤとビーコンＩＤとに対応するコンフィデンシャルタイプを特定するためのマップデータを示す図である。
【図３】制御アプリケーション３２のフローチャートを示す図である。
【図４】制御アプリケーション３２のフローチャートを示す図である。
【発明を実施するための形態】
【０００９】
＜実施形態＞
図１に、本願に係る実施形態として例示される通信システム１のブロック図を示す。通信システム１は、携帯電話（本発明の情報処理装置の一例）１０、複数の発信機（本発明の発信装置の一例）５０、アクセスポイント５２、サーバ５４、基地局５６を備える。
【００１０】
携帯電話１０は、ＣＰＵ（Central Processing Unitの略）（本発明の制御部の一例）１２、記憶部１４、表示パネル１６、入力Ｉ／Ｆ１８、カメラ２０、第１無線通信Ｉ／Ｆ２２、第２無線通信Ｉ／Ｆ（本発明の無線通信部の一例）２４、携帯電話通信Ｉ／Ｆ２６を主に備えている。これらの構成要素は、バス２８を介して互いに通信可能とされている。
【００１１】
第１無線通信Ｉ／Ｆ２２は、ＩＥＥＥの８０２．１１の規格およびそれに準ずる規格に基づいて、Ｗｉ-Ｆｉ(R)（Wi-Fi Allianceの登録商標）方式（ＷＦ方式と称する）の無線通信を行うことが可能とされている。また、アクセスポイント５２は、インターネット５８を介して、サーバ５４に接続されている。これにより、携帯電話１０は、アクセスポイント５２へアクセスし、ＷＦ方式の無線通信を行える状態になれば、アクセスポイント５２及びインターネット５８を介して、サーバ５４とデータ通信することが可能になる。
【００１２】
第２無線通信Ｉ／Ｆ２４は、ＩＥＥＥの８０２．１５．１の規格およびそれに準ずる規格に基づいて、Ｂｌｕｅｔｏｏｔｈ(R)（Bluetooth SIGの登録商標）Ｌｏｗ  Ｅｎｅｒｇｙ（以下、ＢＬＥと称する）方式の無線通信を行うことが可能とされている。また、発信機５０は、ＢＬＥ方式の無線通信を利用して、ビーコン信号を発信する。このため、携帯電話１０は、ＢＬＥ方式の無線通信を行える状態となれば、発信機５０から発信されたビーコン信号を受信することが可能となる。なお、ＢＬＥ方式の無線通信により通信可能な距離は、ＷＦ方式の無線通信により通信可能な距離より短い。
【００１３】
携帯電話通信Ｉ／Ｆ２６は、基地局５６との間で携帯電話通信方式の無線通信を行うことが可能とされている。また、基地局５６は、インターネット５８を介して、サーバ５４に接続されている。これにより、携帯電話１０は、携帯電話通信方式の無線通信を行える状態になれば、基地局５６及びインターネット５８を介して、サーバ５４とデータ通信することが可能になる。
【００１４】
記憶部１４は、オペレーティングシステム（以下、ＯＳと略して記載する場合もある）３０、制御アプリケーション（本発明の制御プログラムの一例）３２を記憶する。オペレーティングシステム３０は、たとえばＡｎｄｏｒｏｉｄ(R)（Google Inc.の登録商標）やｉＯＳ(R)（Ciscoの登録商標）が相当し、制御アプリケーション３２に利用される基本的な機能を提供するプログラムである。制御アプリケーション３２は、カメラ２０による撮像を制御するためのアプリケーションプログラムである。
【００１５】
また、記憶部１４は、データ記憶領域３４を備える。データ記憶領域３４は、制御アプリケーション３２の実行に必要なデータなどを記憶する領域である。なお、記憶部１４は、ＲＡＭ（Random Access Memoryの略）、ＲＯＭ（Read Only Memoryの略）、フラッシュメモリー、ＨＤＤ（Hard Disk・Driveの略）、ＣＰＵ１２が備えるバッファなどが組み合わされて構成されている。
【００１６】
ＣＰＵ１２は、記憶部１４内のプログラムに従って処理を実行する。以降、制御アプリケーション３２など、プログラムを実行するＣＰＵ１２のことを、単にプログラム名でも記載する場合がある。例えば、「制御アプリケーション３２が」という記載は、「制御アプリケーション３２を実行するＣＰＵ１２が」ということを意味する場合がある。
【００１７】
表示パネル１６は、画像データに従って各種画面を表示するものであり、ＬＣＤ（Liquid Crystal Displayの略）、有機ＥＬ（Electro・Luminescenceの略）ディスプレイ等が例示されるが、特にこれらに限定されない。入力Ｉ／Ｆ１８は、タッチセンサを有し、表示パネル１６と一体的に構成されており、入力媒体の表示パネル１６への接近・接触を検出し、ユーザによるボタン操作を受け付ける。カメラ２０は、撮像を実行する部位である。
【００１８】
＜通信システムを利用した撮像による画像データの保守＞
ホワイトボード，プロジェクタ等を利用して、会議，研修等が行われる際に、参加者がホワイトボード等に記載された内容を記録するべく、記載内容等を携帯電話１０のカメラ２０により撮像する場合がある。このような場合において、機密性の高い会議等では、カメラ２０により撮像された画像の機密性を担保するべく、撮像により得られた画像データの出力を制限することが望ましい。一方、機密性の無い会議が行われる際、また、会議等でなく、通常時には、撮像により得られた画像データの出力を制限することは望ましくない。このため、通信システム１では、ＢＬＥ方式の無線通信で発信されるビーコン信号を利用して、所定の条件下でのみ、カメラ２０により撮像された画像の画像データ（以下、「撮像データ」と記載する場合がある）の出力を制限するための情報（以下、「制限情報」と記載する）（本発明の制限情報の一例）が、撮像データに付与される。なお、撮像データに制限情報を付与するための処理は、ＣＰＵ１２において制御アプリケーション３２が実行されることで行われる。
【００１９】
詳しくは、ＢＬＥ方式の無線通信は、極低電力の通信であり、そのＢＬＥ方式の無線通信によって、発信機５０からアドバタイズメント・パケットと呼ばれるビーコン信号が発信される。ビーコン信号は、識別に必要な記号等の少量のデータのみで構成されるものであり、コマンド等の指示を含むことはできない。なお、ビーコン信号は、特定の端末に向かって送信されるものではなく、不特定多数の端末に向かって同時に送信される。つまり、ビーコン信号は、ブロードキャスト送信される。また、ビーコン信号には、ビーコンＩＤ（本発明の第２識別情報の一例）と強度情報とが含まれる。ビーコンＩＤは、ビーコン信号を識別するための識別情報であり、強度情報は、ビーコン信号が発信される際の通信強度を示す情報である。
【００２０】
通信システム１では、上述したように、発信機５０が、ＢＬＥ方式の無線通信を利用してビーコン信号を発信する。そして、ビーコン信号を発信する発信機５０が、会議等が行われる会議室等に設置される。この際、会議室には、任意の数の発信機５０を設置することが可能であり、本実施形態では、複数のテーブルが配設された会議室において、テーブル毎に発信機５０が設置された場合について説明する。つまり、会議室に複数の発信機５０が設置された場合について説明する。
【００２１】
また、撮像データに付与される制限情報は、複数種類、用意されている。具体的には、撮像データに基づく画像が印刷・表示される際に、その画像に、「社外秘」等のコンフィデンシャルマークを記すべく、撮像データにコンフィデンシャルマークの画像データ（本発明の制限画像データの一例）が、制限情報として付与される。また、ＧＰＳ機能を利用して、所定の範囲内に携帯電話１０が位置している場合にのみ、撮像データの出力を許容するため情報が、制限情報として撮像データに付与される。また、パスワードの入力により撮像データの出力を許容するため情報が、制限情報として撮像データに付与される。また、所定の時間帯にのみ、撮像データの出力を許容するため情報が、制限情報として撮像データに付与される。また、撮像データに基づく画像の印刷を制限するため情報が、制限情報として撮像データに付与される。また、撮像データに基づく画像が印刷・表示される際に、その画像を不鮮明な状態で印刷・表示するため情報が、制限情報として撮像データに付与される。この際、制限情報は、画像の全体を不鮮明な状態で印刷・表示するため情報であってもよく、画像の任意の一部、例えば、画像に人物が含まれる場合は顔、画像に文字等の記号が含まれる場合は記号を不鮮明な状態で印刷・表示するため情報であってもよい。また、撮像データをデータ記憶領域３４に記憶することなく、機密性の高いサーバに送信するための情報が、制限情報として撮像データに付与される。なお、「撮像データの出力」は、撮像データに基づく画像の用紙への印刷、撮像データに基づく画像の表示、撮像データの送信、撮像データの記憶媒体への記憶等のうちの少なくとも１つを含む概念である。
【００２２】
このように、通信システム１では、制限情報が、複数種類、用意されており、会議等に参加する参加者毎に、複数種類の制限情報のうちの任意の制限情報が設定されている。また、会議室に設置された複数の発信機５０毎に、複数種類の制限情報のうちの任意の制限情報が設定されている。詳しくは、図２に示す表に相当するマップデータが作成されている。このマップデータが作成される前提として、会議等に参加する参加者毎に、参加者を識別するためのユーザＩＤ（本発明の第３識別情報の一例）が登録されている。また、会議室に設置される複数の発信機５０毎に、発信機５０により発信されるビーコン信号に含まれるビーコンＩＤも登録されている。そして、図２に示すように、ユーザＩＤとビーコンＩＤとが関連付けられており、ユーザＩＤとビーコンＩＤとの組合せごとに、コンフィデンシャルタイプが設定されている。なお、図２に示すマップデータでは、２個のユーザＩＤ（Ａ，Ｂ）と４個のビーコンＩＤ（ａ〜ｄ）との組合せに応じたコンフィデンシャルタイプ（０〜４）が示されている。つまり、２人のユーザと４台の発信機５０との組合せに応じたコンフィデンシャルタイプが示されている。
【００２３】
そのコンフィデンシャルタイプは、上述した複数種類の制限情報のうちの任意の制限情報を識別するためのものである。具体的には、例えば、コンフィデンシャルタイプ「１」は、画像にコンフィデンシャルマークを記すためのコンフィデンシャルマークの画像データの付与を示しており、コンフィデンシャルタイプ「２」は、所定の時間帯にのみ、撮像データの出力を許容するための情報の付与を示しており、コンフィデンシャルタイプ「３」は、撮像データに基づく画像の印刷を制限するための情報の付与を示しており、コンフィデンシャルタイプ「４」は、パスワードの入力により撮像データの出力を許容するための情報の付与を示している。なお、各コンフィデンシャルタイプは、任意の制限情報に設定することが可能であり、１つのコンフィデンシャルタイプに複数の制限情報を設定することも可能である。
【００２４】
このように、コンフィデンシャルタイプ「１」〜「４」には制限情報が設定されている。一方、コンフィデンシャルタイプ「０」には、制限情報が設定されていない。つまり、コンフィデンシャルタイプ「１」〜「４」（本発明の第１識別情報の一例）が、複数種類の制限情報のうちの任意の制限情報を識別するための情報であり、コンフィデンシャルタイプ「０」（本発明の非制限情報の一例）は、撮像データの出力を制限しないことを示す情報となっている。なお、図２に示す表に相当するマップデータは、サーバ５４に記憶されている。また、そのマップデータに利用されるユーザＩＤは、ユーザＩＤにより識別されるユーザの携帯電話１０のデータ記憶領域３４に記憶されている。
【００２５】
このように、マップデータがサーバ５４に記憶され、複数の発信機５０が会議室に設定された状態で、会議への参加者が、携帯電話１０のカメラ２０により撮像を行うと、制御アプリケーション３２の実行により、ＣＰＵ１２において、ビーコン信号を受信したか否かが判断される。会議室に設置された発信機５０は、ビーコン信号を継続的に発信しているため、ＣＰＵ１２では、ビーコン信号を受信したと判断される。そして、受信したビーコン信号に含まれるビーコンＩＤが特定される。
【００２６】
なお、会議室には複数の発信機５０が設置されているため、携帯電話１０の位置によって、複数の発信機５０から発信された複数のビーコン信号を携帯電話１０が受信する場合がある。このような場合には、受信した複数のビーコン信号のうちの、最も携帯電話１０の近くに設置されている発信機５０が発信したビーコン信号が特定され、そのビーコン信号に含まれるビーコンＩＤが特定される。
【００２７】
具体的には、ビーコン信号には、上述したように強度情報が含まれている。この強度情報は、ビーコン信号が発信される際の通信強度を示している。一方、携帯電話１０は、ビーコン信号を受信した際に、受信したビーコン信号の通信強度を検出している。そして、ビーコン信号に含まれる強度情報と、受信時に検出される通信強度とに基づいて、ビーコン信号を発信した発信機５０と携帯電話１０との間の距離（以下、「離間距離」と記載する）が推定される。つまり、ビーコン信号が発信機５０から発信されてから携帯電話１０に受信される迄に、ビーコン信号の信号強度が減衰した程度に基づいて、離間距離が推定される。この際、複数のビーコン信号毎に離間距離が推定され、最も短い離間距離に応じたビーコン信号が、携帯電話１０の最も近くに設置されている発信機５０が発信したビーコン信号であると特定される。そして、そのビーコン信号に含まれるビーコンＩＤが特定される。
【００２８】
なお、上述したように、制御アプリケーション３２の実行によって、撮像データに制限情報を付加するための処理が実行されるが、離間距離は、オペレーティングシステム３０の実行によって推定される。このため、オペレーティングシステム３０の実行により、ＣＰＵ１２が離間距離を推定し、その離間距離を示す情報（以下、「距離情報」と記載する）を出力する。そして、制御アプリケーション３２の実行により、ＣＰＵ１２が距離情報を取得する。
【００２９】
次に、ビーコンＩＤが特定されると、ＣＰＵ１２は、サーバ５４と通信を行って、サーバ５４から、図２に示すマップデータを取得する。ＣＰＵ１２は、マップデータを取得すると、そのマップデータに基づいて、特定されたビーコンＩＤと、データ記憶領域３４に記憶されているユーザＩＤとに対応するコンフィデンシャルタイプを特定する。具体的には、例えば、ユーザＩＤが「Ａ」であり、ビーコンＩＤが「ｃ」である場合には、コンフィデンシャルタイプ「２」が特定される。次に、コンフィデンシャルタイプが「１」〜「４」の何れかに特定されると、特定されたコンフィデンシャルタイプに応じた制限情報が、撮像データに付与される。そして、その撮像データがデータ記憶領域３４に記憶される。また、コンフィデンシャルタイプが「０」に特定された場合には、撮像データに制限情報は付与されず、撮像データがデータ記憶領域３４に記憶される。
【００３０】
このように、コンフィデンシャルタイプが「１」〜「４」の何れかに特定された場合、つまり、特定されたビーコンＩＤ及び、データ記憶領域３４に記憶されているユーザＩＤが、マップデータにおいて、コンフィデンシャルタイプ「１」〜「４」に応じたビーコンＩＤ及びユーザＩＤである場合には、撮像データに制限情報が付与される。これにより、撮像データは、上述したように、付与された制限情報に応じて、出力が制限されることで、会議等において、カメラ２０により撮像された画像の撮像データの機密性を適切に担保することが可能となる。また、携帯電話１０のユーザは、特別な設定などを行うことなく、撮像データに制限情報を付与することが可能となり、ユーザへの負担を軽減することが可能となる。
【００３１】
また、コンフィデンシャルタイプを特定するためのマップデータでは、ユーザＩＤ、つまり、携帯電話１０のユーザ毎に、コンフィデンシャルタイプが変更されている。これにより、ユーザに応じて、撮像データに付与される制限情報を任意に設定することが可能となる。さらに言えば、マップデータでは、ビーコンＩＤ，つまり、発信機５０毎に、コンフィデンシャルタイプが変更されている。これにより、会議への参加者の着座位置等に応じて、撮像データに付与される制限情報を任意に設定することが可能となる。また、コンフィデンシャルタイプが「０」に特定された場合には、撮像データに制限情報が付与されない。このため、特定のユーザ，特定の位置に着座している参加者等に対して、撮像データの出力制限を解除することが可能となり、様々な状況に対応することが可能となる。
【００３２】
なお、ビーコンＩＤが特定された後に、サーバ５４からマップデータが取得されるが、通信状態が悪い場合等には、サーバ５４と通信不能となり、サーバ５４からマップデータを取得できない場合がある。このような場合には、コンフィデンシャルタイプを特定することができず、撮像データに制限情報を付与することができない。このため、データ記憶領域３４に、デフォルト設定されたコンフィデンシャルタイプが記憶されている。そして、ビーコンＩＤが特定された後に、サーバ５４と通信不能な場合には、撮像データに、デフォルト設定されたコンフィデンシャルタイプに応じた制限情報が付与される。
【００３３】
また、サーバ５４からマップデータを取得した場合であっても、ユーザＩＤ，ビーコンＩＤの登録ミス等により、特定されたビーコンＩＤと、データ記憶領域３４に記憶されているユーザＩＤとによって、コンフィデンシャルタイプを特定できない場合がある。このような場合にも、撮像データに、デフォルト設定されたコンフィデンシャルタイプに応じた制限情報が付与される。
【００３４】
また、発信機５０から発信されるビーコン信号は、距離や障害物によって電波が減衰するため、発信機５０が設置された会議室の外では、携帯電話１０はビーコン信号を受信できない。このため、カメラ２０による撮像後に、ＣＰＵ１２において、ビーコン信号を受信したか否かが判断されると、ビーコン信号を受信していないと判断される。このような場合には、撮像データに制限情報は付与されず、撮像データがデータ記憶領域３４に記憶される。これにより、会議室の外での撮像等の機密性を担保する必要の無い撮像時には、撮像データの出力制限を行うことなく、従来通りの撮像データの出力を行うことが可能となる。
【００３５】
＜制御アプリケーション＞
上述した撮像データへの制限情報の付与処理は、ＣＰＵ１２において制御アプリケーション３２が実行されることによって行われる。以下に、図３及び図４を用いて、ＣＰＵ１２で制御アプリケーション３２が実行される際のフローを説明する。
【００３６】
制御アプリケーション３２が実行されると、カメラ２０による撮像が実行されたか否かが、ＣＰＵ１２によって判断される（Ｓ１００）。カメラ２０による撮像が実行されない場合（Ｓ１００：ＮＯ）、Ｓ１００の処理を繰り返す。カメラ２０による撮像が実行された場合（Ｓ１００：ＹＥＳ）、ビーコン信号を受信しているか否かが、ＣＰＵ１２によって判断される（Ｓ１０２）。ビーコン信号を受信している場合（Ｓ１０２：ＹＥＳ）には、受信しているビーコン信号が複数種類であるか否かが、ＣＰＵ１２によって判断される（Ｓ１０４）。受信しているビーコン信号が複数種類である場合（Ｓ１０４：ＹＥＳ）には、ＣＰＵ１２において、距離情報が取得される（Ｓ１０６）。つまり、上述したように、オペレーティングシステム３０の実行により、受信しているビーコン信号毎に、離間距離が演算され、演算された離間距離の距離情報が出力される。そして、その距離情報が、制御アプリケーション３２の実行により、ＣＰＵ１２が距離情報を取得する。
【００３７】
次に、取得した距離情報に基づいて、受信しているビーコン信号のうちの、最も携帯電話１０に近くに設置されている発信機５０から発信されたビーコン信号が、ＣＰＵ１２によって特定される（Ｓ１０８）。そして、Ｓ１１０に進む。また、Ｓ１０４で受信しているビーコン信号が複数種類でなく、１種類である場合（Ｓ１０４：ＮＯ）には、Ｓ１０６及びＳ１０８の処理がスキップされ、Ｓ１１０に進む。
【００３８】
Ｓ１１０では、サーバ５４と通信可能であるか否かが、ＣＰＵ１２によって判断される（Ｓ１１０）。この際、サーバ５４と通信可能である場合（Ｓ１１０：ＹＥＳ）には、ＣＰＵ１２において、サーバ５４からマップデータが取得される（Ｓ１１２）。そして、マップデータに基づいて、ビーコン信号に含まれるビーコンＩＤと、データ記憶領域３４に記憶されているユーザＩＤとの組合せに応じたコンフィデンシャルタイプが特定可能であるか否かが、ＣＰＵ１２によって判断される（Ｓ１１４）。コンフィデンシャルタイプが特定可能である場合（Ｓ１１４：ＹＥＳ）には、特定されたコンフィデンシャルタイプが「０」であるか否かが、ＣＰＵ１２によって判断される（Ｓ１１６）。
【００３９】
特定されたコンフィデンシャルタイプが「０」でない場合（Ｓ１１６：ＮＯ）、つまり、「１」〜「４」の何れかである場合には、特定されたコンフィデンシャルタイプに応じた制限情報が、撮像データに付与される（Ｓ１１８）。そして、その撮像データがデータ記憶領域３４に記憶される（Ｓ１２０）。これにより、制御アプリケーション３２が終了する。
【００４０】
また、Ｓ１１６で特定されたコンフィデンシャルタイプが「０」である場合（Ｓ１１６：ＹＥＳ）には、撮像データに制限情報が付与されず、撮像データがデータ記憶領域３４に記憶される（Ｓ１２０）。これにより、制御アプリケーション３２が終了する。
【００４１】
また、Ｓ１１０でサーバ５４と通信不能である場合（Ｓ１１０：ＮＯ）、若しくは、Ｓ１１４でコンフィデンシャルタイプが特定不能である場合（Ｓ１１４：ＮＯ）には、デフォルト設定されたコンフィデンシャルタイプに応じた制限情報が、撮像データに付与される（Ｓ１２２）。そして、その撮像データがデータ記憶領域３４に記憶される（Ｓ１２０）。これにより、制御アプリケーション３２が終了する。また、Ｓ１０２でビーコン信号を受信していない場合又はビーコン信号とは異なる信号を受信した場合（Ｓ１０２：ＮＯ）、撮像データがそのままデータ記憶領域３４に記憶される（Ｓ１２０）。
【００４２】
ちなみに、ＣＰＵ１２により実行されるＳ１００は、第１取得処理の一例である。ＣＰＵ１２により実行されるＳ１０２は、受信処理の一例である。ＣＰＵ１２により実行されるＳ１０６は、第５取得処理の一例である。ＣＰＵ１２により実行されるＳ１０８は、特定処理の一例である。ＣＰＵ１２により実行されるＳ１１４は、第２取得処理、第３取得処理の一例である。ＣＰＵ１２により実行されるＳ１１６は、第４取得処理の一例である。ＣＰＵ１２により実行されるＳ１１８は、関連付け処理の一例である。
【００４３】
なお、本発明は、上記実施形態に限定されるものではなく、当業者の知識に基づいて種々の変更、改良を施した種々の態様で実施することが可能である。具体的には、例えば、上記実施形態では、カメラ２０の撮像により形成された撮像データに、制限情報が付与されているが、画像の読み取りにより形成されたスキャンデータ、他の装置から携帯電話１０に送信された画像データ等の種々の手法により取得された画像データに、制限情報を付与することが可能である。つまり、本発明を、カメラ機能を有する装置だけでなく、スキャン機能を有する装置に適用することが可能である。また、カメラ２０の撮像により形成された撮像データ、画像の読み取りにより形成されたスキャンデータだけでなく、それら各種データがテキスト形式に変換されたデータに、制限情報を付与することも可能である。
【００４４】
また、上記実施形態では、ビーコン信号を利用して、画像データに制限情報が付与されているが、設定された範囲内に発信される信号であれば、ビーコン信号以外のものを採用することが可能である。
【００４５】
また、上記実施形態では、画像データに制限情報が付与されることで、画像データの出力が制限されるが、画像データへのアクセスを制限してもよい。これにより、種々の手法により、画像データの機密性を担保することが可能となる。
【００４６】
また、上記実施形態では、オペレーティングシステム３０の実行により離間距離が推定されているが、制御アプリケーション３２の実行により離間距離が推定されてもよい。
【００４７】
また、上記実施形態では、マップデータがサーバ５４に記憶されているが、携帯電話１０に記憶されていてもよい。
【００４８】
また、上記実施形態では、ＣＰＵ１２によって図３及び図４に示す処理が実行される例を説明したが、これら処理は、ＣＰＵ１２に限らず、ＡＳＩＣや他の論理集積回路により実行されてもよいし、これら処理が、ＣＰＵ等やＡＳＩＣ、他の論理集積回路が協働することにより実行されてもよい。
【符号の説明】
【００４９】
１０：携帯電話、１２：ＣＰＵ、３２：制御アプリケーション、２４：第２無線通信Ｉ／Ｆ
【図１】
2017204210.tif 000003
【図２】
2017204210.tif 000004
【図３】
2017204210.tif 000005
【図４】
2017204210.tif 000006